(57)【要約】【課題】パレット上部に容易に固定することが可能なパレット蓋用固定装置を提供する。【解決手段】パレット蓋１に設けられたパレット蓋用固定装置４は、パレット蓋１を貨物運搬用パレット１００に固定する装置であり、回動部４１３の周縁に接するように配設された被押圧部４１１と、貨物運搬用パレット１００の上辺１０４を係止する係止部４１２と、被押圧部４１１及び係止部４１２を回動自在にする回動部４１３とを備えたロック部材４１と、上辺１０４に載置するための第１のストッパ４２及び第２のストッパ４３と、第２の蓋３から第１の蓋２側に突出するように平板上に形成されて被押圧部４１１を上方に押圧する第１の押圧部４４と、第２のストッパ４３の上面から上方に突出するように略Ｕ字型に形成されて被押圧部４１１を下方に押圧する第２の押圧部４５と、を備えている。【選択図】図８
2019089574.tif 000002
【特許請求の範囲】
【請求項１】
貨物が積載される略長方形の荷台と、前記荷台の辺に沿って立設される側面部材と、を備えた貨物運搬用パレットの上部の一部を覆う略長方形の平板状の第１の蓋と、前記貨物運搬用パレットの上部の残りの一部を覆い、前記第１の蓋とヒンジを介して接続されて開閉自在な略長方形の平板状の第２の蓋と、からなるパレット蓋に設けられ、前記第１の蓋を前記貨物運搬用パレットに固定するパレット蓋用固定装置であって、
前記第１の蓋には、前記ヒンジの開閉軸に対して垂直方向の前記第１の蓋の辺に対して回動自在に配設された回動部と、前記第１の蓋の下側に前記回動部の周縁に接するように前記ヒンジの開閉軸に対して平行に設けられた細板状の被押圧部と、前記被押圧部から前記パレット蓋の外側に延設され、前記第１の蓋の下側にコの字状に折り曲げられて前記側面部材の上辺を係止する係止部と、からなるロック部材を備え、
前記第２の蓋には、前記第２の蓋の下側から前記第１の蓋の下側に突出するように平板状に形成された第１の押圧部と、前記第２の蓋の上面から上方に突出するように設けられた第２の押圧部と、を備え、
前記第２の蓋が閉じたとき、前記第１の押圧部が前記被押圧部を上方に押圧して前記係止部を下方に移動させ、前記第２の蓋が開いて略１８０°回転して前記第１の蓋の上に載置されたとき、前記第２の押圧部が前記被押圧部を下方に押圧して前記係止部を上方に移動させる、
ことを特徴とするパレット蓋用固定装置。
【請求項２】
請求項１に記載のパレット蓋用固定装置を備える、
ことを特徴とするパレット蓋。
【発明の詳細な説明】
【技術分野】
【０００１】
本発明は、貨物運搬用パレットの上部を覆うパレット蓋に設けられるパレット蓋用固定装置と、このパレット蓋用固定装置が設けられたパレット蓋とに関する。
【背景技術】
【０００２】
貨物を乗せて運搬するために、例えば、運搬台車が用いられるが、荷台から貨物が落ちてしまうことを防止するため、荷台の側面を柵で囲んだ枠付運搬台車が知られている（例えば、特許文献１参照）。このような枠付運搬台車は、通常の台車では運搬しづらいもの、例えば荷台で安定しない長尺な貨物等を運搬する場合に用いられる。
【０００３】
また、荷物を運搬するときに、貨物を安定した状態で荷台に載置するために、蓋が設けられた荷搭載用パレットが知られている（例えば、特許文献２参照）。この荷搭載用パレットは、例えば機内食用のカートとして用いられるものであり、側面に設けられた支持部時により荷の移動が規制され、蓋が緩んだ状態で貼られたネット部材により構成されており、このネット部材により荷の移動を規制するものである。
【先行技術文献】
【特許文献】
【０００４】
【特許文献１】特開２０１５−００９７０３号公報
【特許文献２】特開２００６−３１５７３６号公報
【発明の概要】
【発明が解決しようとする課題】
【０００５】
しかしながら、特許文献２に記載の荷搭載用パレットに設けられた蓋は、一辺が側壁に固定されているものである。重量物を運搬するための貨物運搬用パレットの場合、貨物の重量が重いため、蓋が取り付け／取り外し可能なものが望ましく、また、取り付ける際に簡便に取り付けることが可能で、パレット上部で容易に固定することが可能な蓋が望まれていた。
【０００６】
そこでこの発明は、パレット上部で取り付け／取り外し可能であり、パレット上部に簡便に取り付けることが可能で、容易に固定することが可能なパレット蓋用固定装置と、このパレット蓋用固定装置が設けられたパレット蓋とを提供することを目的とする。
【課題を解決するための手段】
【０００７】
上記課題を解決するために、請求項１の発明は、貨物が積載される略長方形の荷台と、前記荷台の辺に沿って立設される側面部材と、を備えた貨物運搬用パレットの上部の一部を覆う略長方形の平板状の第１の蓋と、前記貨物運搬用パレットの上部の残りの一部を覆い、前記第１の蓋とヒンジを介して接続されて開閉自在な略長方形の平板状の第２の蓋と、からなるパレット蓋に設けられ、前記第１の蓋を前記貨物運搬用パレットに固定するパレット蓋用固定装置であって、前記第１の蓋には、前記ヒンジの開閉軸に対して垂直方向の前記第１の蓋の辺に対して回動自在に配設された回動部と、前記第１の蓋の下側に前記回動部の周縁に接するように前記ヒンジの開閉軸に対して平行に設けられた細板状の被押圧部と、前記被押圧部から前記パレット蓋の外側に延設され、前記第１の蓋の下側にコの字状に折り曲げられて前記側面部材の上辺を係止する係止部と、からなるロック部材を備え、前記第２の蓋には、前記第２の蓋の下側から前記第１の蓋の下側に突出するように平板状に形成された第１の押圧部と、前記第２の蓋の上面から上方に突出するように設けられた第２の押圧部と、を備え、前記第２の蓋が閉じたとき、前記第１の押圧部が前記被押圧部を上方に押圧して前記係止部を下方に移動させ、前記第２の蓋が開いて略１８０°回転して前記第１の蓋の上に載置されたとき、前記第２の押圧部が前記被押圧部を下方に押圧して前記係止部を上方に移動させる、ことを特徴とする。
【０００８】
請求項２は、請求項１に記載のパレット蓋用固定装置を備える、ことを特徴とするパレット蓋である。
【発明の効果】
【０００９】
請求項１に記載の発明によれば、パレット蓋用固定装置は、貨物運搬用パレットの上部の一部を覆う第１の蓋と、残りの一部を覆う第２の蓋と、からなるパレット蓋に設けられ、第１の蓋を貨物運搬用パレットに固定するものである。このパレット蓋用固定装置は、第１の蓋に、回動部と、細板状の被押圧部と、コの字状に折り曲げられて貨物運搬用パレットの側面部材の上辺を係止する係止部と、からなるロック部材が設けられている。第２の蓋に、第２の蓋の下側から第１の蓋の下側に突出するように平板状に形成された第１の押圧部と、第２の蓋の上面から上方に突出するように設けられた第２の押圧部と、が設けられている。第２の蓋が閉じたとき、第１の押圧部が被押圧部を上方に押圧して係止部を下方に移動させ、貨物運搬用パレットの側面部材の上辺を係止する。また、第２の蓋が開いて略１８０°回転して第１の蓋の上に載置されたとき、第２の押圧部が被押圧部を下方に押圧して係止部を上方に移動させ、貨物運搬用パレットの側面部材の上辺との係止が解除される。これにより、取り付け／取り外し可能なパレット蓋を貨物運搬用パレットの上部に載置して第２の蓋を開閉すると、それに合わせてパレット蓋用固定装置が貨物運搬用パレットを係止し、係止が解除される。すなわち、第２の蓋を開閉するだけでパレット蓋用固定装置が貨物運搬用パレットに係止され、パレット蓋が貨物運搬用パレットに固定されるので、パレット蓋を貨物運搬用パレットに容易に固定することが可能である。
【００１０】
請求項２に記載の発明によれば、このパレット蓋用固定装置がパレット蓋に設けられているので、パレット蓋を貨物運搬用パレットに載置して第２の蓋を閉じるだけでパレット蓋用固定装置が貨物運搬用パレットを係止するため、パレット蓋をパレット上部に簡便に取り付けることが可能である。
【図面の簡単な説明】
【００１１】
【図１】この発明の実施の形態に係るパレット蓋１の外観を示す図であり、平面図（ａ）、右側面図（ｂ）、及び正面図（ｃ）である。
【図２】図１のパレット蓋用固定装置４を示す拡大斜視図である。
【図３】図２の被押圧部４１１が第１の押圧部４４により上方に押圧されている状態を示す斜視図である。
【図４】図２の被押圧部４１１が第２の押圧部４５により下方に押圧されている状態を示す斜視図である。
【図５】図１のパレット蓋１が載置される貨物運搬用パレット１００の外観を示す斜視図である。
【図６】図５の貨物運搬用パレット１００に図１のパレット蓋１を載置して第２の蓋３を開いた状態を示す斜視図である。
【図７】図５の貨物運搬用パレット１００に図１のパレット蓋１を載置して第２の蓋３を閉じた状態を示す斜視図である。
【図８】図７の状態におけるパレット蓋用固定装置４を示す拡大斜視図である。
【発明を実施するための形態】
【００１２】
以下、この発明を図示の実施の形態に基づいて説明する。
【００１３】
図１ないし図８は、この発明の実施の形態を示し、図１は、この実施の形態に係るパレット蓋１を示す平面図（ａ）、右側面図（ｂ）、及び正面図（ｃ）である。このパレット蓋１は、後述する図５に示すような貨物運搬用パレット１００の上部を覆う蓋であり、主として第１の蓋２と、第２の蓋３と、パレット蓋用固定装置４と、ヒンジ５と、係止具６と、係止具７とを備えている。
【００１４】
第１の蓋２は、例えば金属製の線状体により、略長方形の網目状に形成されている。第２の蓋３は、第１の蓋２と同様に、例えば金属製の線状体により、略長方形の網目状に形成されている。この第１の蓋２及び第２の蓋３は、それぞれの長辺の一辺が対向するように配置されてヒンジ５により開閉自在に接続され、貨物運搬用パレット１００の上部に載置されたときに、第１の蓋２が貨物運搬用パレット１００の上部の一部を覆うように貨物運搬用パレット１００に固定され、第２の蓋３が貨物運搬用パレット１００の上部の残りの一部を覆うように貨物運搬用パレット１００の上部で開閉自在であり、第２の蓋３が閉じているときは図１に示すように第１の蓋２と第２の蓋３とが並列した状態になり、第２の蓋３が開いているときは第１の蓋２と第２の蓋３とが重ねられた状態になるように設けられている。そして、図１に示すように第１の蓋２と第２の蓋３とが並列しているときの形状及び大きさは、貨物運搬用パレット１００の荷台１０１と略同一の形状及び大きさになるように形成されている。なお、第１の蓋２の大きさと第２の蓋３の大きさとは、図１に示すように必ずしも同一の大きさである必要はなく、例えば第２の蓋３の奥行きを大きく形成し、貨物運搬用パレット１００の上部に載置されたときに開口部がより大きくなるようにしても良い。
【００１５】
パレット蓋用固定装置４は、第１の蓋２を貨物運搬用パレット１００に固定する装置であり、例えば、第１の蓋２と第２の蓋３との接続辺の両端にそれぞれ設けられている。
【００１６】
図２は、図１のパレット蓋用固定装置４を示す拡大斜視図である。図３は、図２の被押圧部４１１が第１の押圧部４４により上方に押圧されている状態を示す斜視図である。また、図４は、図２の被押圧部４１１が第２の押圧部４５により下方に押圧されている状態を示す斜視図である。このパレット蓋用固定装置４は、主としてロック部材４１と、第１のストッパ４２と、第２のストッパ４３と、第１の押圧部４４と、第２の押圧部４５とを備えている。このパレット蓋用固定装置４は、例えば、鋼材等の金属により形成されている。
【００１７】
ロック部材４１は、第１の蓋２の線状体を軸として回動して貨物運搬用パレット１００の上辺を係止し、係止を解除する部材であり、主として、被押圧部４１１と、係止部４１２と、回動部４１３とを備えている。被押圧部４１１は、回動部４１３の周縁に接するように配設され、回動部４１３を介して第１の蓋２の下側に、ヒンジ５の開閉軸に対して平行になるように、例えば細板状に設けられている。係止部４１２は、被押圧部４１１から第１の蓋２の外側に向けて延設され、下方向にコの字型に折り曲げられて貨物運搬用パレット１００の側面部材の上辺に係止されるように形成されている。回動部４１３は、ヒンジ５の開閉軸に対して垂直方向の第１の蓋２の線状体に円筒状に周設され、回動自在に設けられている。これらの被押圧部４１１、係止部４１２、及び回動部４１３は、回動部４１３を回転軸として第１の蓋２の線状体を軸として回動し、被押圧部４１１が下方に押圧されると回動部４１３が回動することで係止部４１２が上方に移動し、被押圧部４１１が上方に押圧されると回動部４１３が回動することで係止部４１２が下方に移動するように構成されている。
【００１８】
第１のストッパ４２は、第１の蓋２が貨物運搬用パレット１００の上部に載置されたときに、貨物運搬用パレット１００の側面部材の上辺に掛かることで底に落下しないようにするためのストッパである。第２のストッパ４３は、第１のストッパ４２と同様に、第２の蓋３が貨物運搬用パレット１００の上部に載置されたときに、貨物運搬用パレット１００の側面部材の上辺に掛かることで底に落下しないようにするためのストッパである。
【００１９】
第１の押圧部４４は、図１に示すように第１の蓋２と第２の蓋３とが並列している状態において、第２のストッパ４３の下面に重なるように配設され、第２の蓋３から第１の蓋２側に突出するように平板上に形成されている。第２の押圧部４５は、図１に示すように第１の蓋２と第２の蓋３とが並列している状態において、第２のストッパ４３の上面から上方に突出するように略Ｕ字型に形成されている。
【００２０】
第１の押圧部４４及び第２の押圧部４５が被押圧部４１１を押圧する状態について説明する。図３に示すように、第１の蓋２と第２の蓋３とが並列している状態のとき、第１の押圧部４４が第２の蓋３の下側から第１の蓋２の下側に突出した状態で、被押圧部４１１を上方に押圧する。すると、回動部４１３が回動することで係止部４１２が下方に移動し、貨物運搬用パレット１００の側面部材の上辺を係止する。また、図４に示すように、第２の蓋３を略１８０°開いて第１の蓋２と第２の蓋３とが重ねられると、第２の押圧部４５も略１８０°回動して第１の蓋２の上側に回り込み、被押圧部４１１を下方に押圧する。すると、回動部４１３が回動することで係止部４１２が上方に移動し、貨物運搬用パレット１００の側面部材の上辺の係止状態が解除される。パレット蓋用固定装置４は、このようにして貨物運搬用パレット１００を係止し、係止状態を解除するように構成されている。すなわち、パレット蓋用固定装置４は、第２の蓋３を開閉するだけで貨物運搬用パレット１００の側面部材の上辺の係止することが可能である。
【００２１】
係止具６は、パレット蓋１が貨物運搬用パレット１００に載置されたときに、第１の蓋２を貨物運搬用パレット１００の側面部材の上辺に係止する装置であり、例えば金属製の板状部材が下方向にコの字型に折り曲げられて形成されている。係止具７は、パレット蓋１が貨物運搬用パレット１００に載置されたときに、第２の蓋３を貨物運搬用パレット１００の側面部材の上辺に係止する装置であり、例えば金属製の板状部材が下方向にコの字型に折り曲げられて形成され、その下に板バネ等により貨物運搬用パレット１００の側面に固定されるように構成されている。
【００２２】
次に、パレット蓋１の使用方法及び作用等について、以下に説明する。図５は、このようなパレット蓋１が載置される貨物運搬用パレット１００の外観を示す斜視図である。この貨物運搬用パレット１００は、貨物が積載される、例えば網目状に形成された箱であり、主として荷台１０１と、側面部材１０２と、柱状部材１０３と、上辺１０４と、係止具１０５とを備えている。
【００２３】
荷台１０１は、貨物が積載される箇所であり、例えば鋼材等の金属により略長方形の平板状に形成されて貨物運搬用パレット１００の底面を形成している。側面部材１０２は、貨物運搬用パレット１００の側面を形成している箇所であり、例えば金属製の線状体により略長方形の網目状に形成され、荷台１０１の４つの辺に沿って立設されている。柱状部材１０３は、例えば鋼材等の金属により柱状に形成され、荷台１０１の４つの頂点に立設されて側面部材１０２の側辺を形成している。上辺１０４は、例えば鋼材等の金属により柱状に形成され、柱状部材１０３の上部に接続されて側面部材１０２の上辺を形成している。係止具１０５は、例えば貨物運搬用パレット１００をクレーン等で運搬する際に吊り下げられるための部材であり、柱状部材１０３の上部に輪状に形成されている。
【００２４】
図６は、図５の貨物運搬用パレット１００に図１のパレット蓋１を載置して第２の蓋３を開いた状態を示す斜視図である。図７は、図５の貨物運搬用パレット１００に図１のパレット蓋１を載置して第２の蓋３を閉じた状態を示す斜視図である。また、図８は、図７の状態におけるパレット蓋用固定装置４を示す拡大斜視図である。なお、図６及び図７では、係止具１０５の図示を省略している。
【００２５】
まず、パレット蓋１を、第１の蓋２と第２の蓋３とが重ねられた状態で上辺１０４の上に載置する。このとき、図６に示すように、貨物運搬用パレット１００の上面の略半分を覆うようにパレット蓋１を載置し、係止具６を上辺１０４に係止する。この状態のとき、図４に示すように第２の押圧部４５が下方の第１の蓋２側に突出して被押圧部４１１を下方に押圧するので、係止部４１２は、上方に移動した状態になり、上辺１０４を係止しない状態になる。
【００２６】
次に、図７に示すように、第２の蓋３を略１８０°回転させて第２の蓋３を閉じ、第１の蓋２と第２の蓋３とが並列している状態にする。この状態のとき、図８に示すように第１の押圧部４４も略１８０°回動して第１の蓋２の下側に回り込み、第２の蓋３から第１の蓋２側に突出して被押圧部４１１を上方に押圧するので、係止部４１２が下方に移動した状態になり、上辺１０４を係止する。その後、係止具７を上辺１０４に係止することにより、パレット蓋１を貨物運搬用パレット１００の上面に固定する。
【００２７】
以上のように、このパレット蓋用固定装置４とこれを備えたパレット蓋１によれば、被押圧部４１１、係止部４１２、及び回動部４１３からなるロック部材４１を備え、第１の蓋２と第２の蓋３とが並列している状態のとき、第１の押圧部４４が第２の蓋３の下側から第１の蓋２の下側に突出して被押圧部４１１を上方に押圧するので、回動部４１３が回動することで係止部４１２が下方に移動し、貨物運搬用パレット１００の上辺１０４を係止する。また、第２の蓋３を略１８０°開いて第１の蓋２と第２の蓋３とが重ねられた状態のとき、第２の押圧部４５が下方の第１の蓋２側に突出して被押圧部４１１を下方に押圧するので、回動部４１３が回動することで係止部４１２が上方に移動し、貨物運搬用パレット１００の上辺１０４の係止状態が解除される。これにより、第２の蓋３を開閉すると、それに合わせて係止部４１２が上辺１０４を係止し、係止が解除される。すなわち、パレット蓋用固定装置４は、第２の蓋３を開閉するだけで貨物運搬用パレット１００の上辺１０４を係止することが可能である。これにより、パレット蓋１を貨物運搬用パレット１００に簡便に取り付けることが可能であり、容易に固定することができる。
【００２８】
以上、この発明の各実施の形態を詳述してきたが、具体的な構成はこの実施の形態に限られるものではなく、この発明の要旨を逸脱しない範囲の設計の変更等があっても、この発明に含まれる。例えば、上記の実施の形態では、第１の蓋２、第２の蓋３、及び貨物運搬用パレット１００の側面部材１０２を金属製の線状体により網目状に形成したが、板状に形成しても良い。この場合、パレット蓋用固定装置４の回動部４１３を回動自在にするために、第１の蓋２の外縁に円柱状の部材を設ける必要がある。
【符号の説明】
【００２９】
１                              パレット蓋
２                              第１の蓋
３                              第２の蓋
４                              パレット蓋用固定装置
４１                            ロック部材
４１１                          被押圧部
４１２                          係止部
４１３                          回動部
４２                            第１のストッパ
４３                            第２のストッパ
４４                            第１の押圧部
４５                            第２の押圧部
５                              ヒンジ
６                              係止具
７                              係止具
１００                          貨物運搬用パレット
１０１                          荷台
１０２                          側面部材
１０３                          柱状部材
１０４                          上辺
【図１】
2019089574.tif 000003
【図２】
2019089574.tif 000004
【図３】
2019089574.tif 000005
【図４】
2019089574.tif 000006
【図５】
2019089574.tif 000007
【図６】
2019089574.tif 000008
【図７】
2019089574.tif 000009
【図８】
2019089574.tif 000010